(57)【要約】【課題】ハンドオーバ実施により発生する無線リンク切断をシステム全体として把握する。また、異なる無線システム間のハンドオーバ実施においても検出する。【解決手段】移動体端末管理装置に対する送受信メッセージを監視し、各メッセージを抽出し、ハンドオーバ実施状態監視部において、抽出したメッセージに対応してハンドオーバ実施元と実施先のセル識別子と無線リンク切断時と接続時のセル識別子を記憶し、ハンドオーバ実施経過時間と無線リンク切断経過時間を計測し、無線リンク切断後に接続した場合、記憶したセル識別子の関係とそれぞれの経過時間からハンドオーバによる無線リンク切断が発生したとの判断処理を行ない、さらにその原因を分析する処理を行ない、切断原因管理エントリに結果を記憶し、運用オペレータの要求に応じて、その結果をオペレータ端末に表示する通信システム監視装置により、解決する。【選択図】図６
2011188188.tif 000002
【特許請求の範囲】
【請求項１】
移動体端末管理装置に対する送受信メッセージを監視し、ハンドオーバ完了を通知するメッセージと無線リンク切断を通知するメッセージと無線リンク接続を要求するメッセージとを抽出するステップと、
移動体端末対応に、ハンドオーバ完了を通知するメッセージを抽出したとき、ハンドオーバ実施元セルとハンドオーバ実施先セルとを記憶し、ハンドオーバ実施経過時間の計測を開始するステップと、
無線リンク切断を通知するメッセージを抽出したとき、切断時に接続していた切断時セルを記憶し、無線リンク切断時間の計測を開始するステップと、
無線リンク接続を要求するメッセージを抽出したとき、接続した接続時セルを記憶し、ハンドオーバ実施経過時間および無線リンク切断時間の計測を停止するステップと、
切断時セルと接続時セルとが異なり、かつ無線リンク切断時間が第１の所定時間よりも短いとき、ハンドオーバ要因による無線リンク切断が発生したと判断するステップと、
さらに、ハンドオーバ実施経過時間が第２の所定時間よりも長いとき、ハンドオーバの未実施を原因とし、ハンドオーバ実施経過時間が第２の所定時間よりも短く、かつハンドオーバ実施元セルと無線リンク接続時セルが同一であるとき、ハンドオーバの早い実施を原因とし、ハンドオーバ実施経過時間が第２の所定時間よりも短く、かつハンドオーバ実施元セルと接続時セルが同一でないとき、不適切なハンドオーバ実施を原因と判断するステップとを含む無線リンク切断原因検出方法。
【請求項２】
移動体端末の移動を管理する複数の装置に対する送受信メッセージの監視するステップと、
移動体端末対応に、ハンドオーバ完了を通知するメッセージを抽出したとき、ハンドオーバ実施元セルとハンドオーバ実施先セルとを記憶し、ハンドオーバ実施経過時間の計測を開始するステップと、
無線リンク切断を通知するメッセージを抽出したとき、切断時に接続していた切断時セルを記憶し、無線リンク切断時間の計測を開始するステップと、
無線リンク接続を要求するメッセージを抽出したとき、接続した接続時セルを記憶し、ハンドオーバ実施経過時間および無線リンク切断時間の計測を停止するステップと、
切断時セルと接続時セルが異なり、かつ無線リンク切断時間が第１の所定時間よりも短いとき、ハンドオーバ要因による無線リンク切断が発生したと判断するステップと、
さらに、ハンドオーバ実施経過時間が第２の所定時間よりも長いとき、ハンドオーバの未実施を原因とし、ハンドオーバ実施経過時間が第２の所定時間よりも短く、かつハンドオーバ実施元セルと無線リンク接続時セルが同一であるとき、ハンドオーバの早い実施を原因とし、ハンドオーバ実施経過時間が第２の所定時間よりも短く、かつハンドオーバ実施元セルと接続時セルが同一でないとき、不適切なハンドオーバ実施を原因と判断するステップとを含む無線リンク切断原因検出方法。
【請求項３】
ハンドオーバ実施による無線リンク切断を検出する移動体通信システム監視装置であって、
移動体端末の移動を管理する装置に対する送受信メッセージを監視する手段と、
監視している送受信メッセージからハンドオーバ完了を報告するメッセージと、無線リンクの切断を通知するメッセージと、無線リンク接続を要求するメッセージとを抽出する手段と、
移動体端末対応に、ハンドオーバ実施元セルとハンドオーバ実施先セルと無線リンク切断時セルと無線リンク接続時セルとハンドオーバ実施経過時間とム無線リンク切断経過時間を管理する手段と、
ハンドオーバ完了を報告するメッセージを抽出したとき、ハンドオーバ実施元セルとハンドオーバ実施先セルを記憶し、ハンドオーバ実施経過時間の計測を開始する手段と、
無線リンク切断を通知するメッセージを抽出したとき、切断時に接続していた切断時セルを記憶し、無線リンク切断時間の計測を開始する手段と、
無線リンク接続を要求するメッセージを抽出したとき、接続した接続時セルを記憶し、ハンドオーバ実施経過時間および無線リンク切断時間の計測を停止する手段と、
無線リンク切断時セルと接続時セルが異なり、かつ無線リンク切断時間が第１の所定時間よりも短いとき、ハンドオーバ要因による無線リンク切断が発生したと判断する手段と、
ハンドオーバ実施経過時間が第２の所定時間よりも長いとき、ハンドオーバ未実施を原因とし、ハンドオーバ実施経過時間が第２の所定時間よりも短く、かつハンドオーバ実施元セルと無線リンク接続時セルが同一であるとき、ハンドオーバの早い実施を原因とし、ハンドオーバ実施経過時間が第２の所定時間よりも短く、かつハンドオーバ実施元セルと無線リンク接続時セルが同一でないとき、不適切なハンドオーバ実施を原因と判断する手段とを備えることを特徴とする移動体通信システム監視装置。
【請求項４】
請求項３に記載の通信システム監視装置であって、
前記監視する手段は、互いに異なる複数の通信システムに所属する複数の移動体端末の移動を管理する装置を監視することを特徴とする通信システム監視装置。
【請求項５】
請求項３または請求項４に記載の通信システム監視装置において、
ハンドオーバ要因による無線リンク切断の原因を判断した際、ハンドオーバ実施元セルと、ハンドオーバ実施先セルと、無線リンク接続時セルと、無線リンク切断時セルと、原因と、対応する移動体端末とを判断結果として記憶する手段と、
判断結果の参照要求に応じて前記記憶した判断結果をオペレータ端末に表示する手段を含むことを特徴とする通信システム監視装置。
【発明の詳細な説明】
【技術分野】
【０００１】
本発明は、移動体通信システムの無線リンク切断原因検出方法および移動体通信システム監視装置に係り、特にハンドオーバ実施により発生する無線リンク切断原因検出方法および移動体通信システム監視装置に関する。
【背景技術】
【０００２】
移動体通信システムの運用では、ネットワーク資源の効率的な活用、ネットワーク品質改善、ユーザの体感品質改善が求められている。ユーザ体感品質とは、ユーザ視点で主観的に知覚される品質、具体的には接続性、動作速度などのことである。この品質をネットワーク側で評価するためには、無線リンクの接続状態、アプリ対応のスループットなどを監視する必要がある。
【０００３】
図１を参照して、移動体通信システムの構成を説明する。図１において、移動体通信システムは、無線アクセスネットワーク２１１、パケットコアネットワーク２１２、運用管理ネットワーク２１３から構成される。
【０００４】
無線アクセスネットワーク２１１は、General Packet Radio Service（ＧＰＲＳ）のRadio Network Controller（ＲＮＣ）２０９とBase Station（ＢＳ）２０８、Long Term Evolution（ＬＴＥ）の基地局である複数のEvolution Node B（ｅＮＢ）２０６から構成される。
【０００５】
パケットコアネットワーク２１２は、ＧＰＲＳのServing GPRS Support Node（ＳＧＳＮ）２１０とGateway GPRS support Node（ＧＧＳＮ）２１４、ＬＴＥのServing Gateway（Ｓ−ＧＷ）２０７とPacket Gateway（Ｐ−ＧＷ）２１５、移動体端末管理装置２０１と複数のルータ２１６から構成される。
【０００６】
運用管理ネットワーク２１３は、複数のElement Management System（ＥＭＳ）２０２、オペレータ端末２０３、Network Management System（ＮＭＳ）２０４、ストレージ２０５、ルータ２１６−Ｄで構成される。
【０００７】
無線アクセスネットワーク２１１とパケットコアネットワーク２１２の構成機器を管理運用するため、運用管理ネットワーク２１３のＥＭＳ２０２は、機器対応およびベンダ対応に配置される。ＥＭＳ２０２は、Performance Measurements（ＰＭ）と呼ばれる統計情報をＮＭＳ２０４に収集する。運用オペレータは、オペレータ端末２０３を用いて、ＥＭＳ２０２あるいはＮＭＳ２０４において収集されたＰＭを解析して、ネットワークの改善を行なう。また、運用オペレータは、ＥＭＳ２０２を介して各機器に対してシステムパラメータと呼ばれる機器の処理に用いるパラメータを設定、参照する。
【０００８】
非特許文献１に示されているＬＴＥの基地局（ｅＮＢ）２０６におけるＰＭとして、具体的には無線リンク切断回数、ハンドオーバの実施回数、成功回数、失敗要因に対応した回数などが定められている。
【０００９】
非特許文献２で示されている移動体端末のトレースにおいて、ＥＭＳ２０２は、指定された基地局／セルにおいてアクティブな移動体端末に対するトレースを開始する。ＥＭＳ２０２は、トレース情報をＰＭと同様に、基地局からＮＭＳ２０４に収集する。トレース情報は、移動体端末単位にメッセージとそれをやり取りした時間、メッセージを構成する情報エレメントから成る。
【００１０】
一方、無線リンク切断の発生要因として、不適切なハンドオーバ実施がある。移動体端末は、移動しながら通信を継続する。このために、移動体端末は、基地局が管理するセルと呼ばれるエリアに滞在する間その基地局と接続し、セルを移動した際には移動先のセルを管理する基地局と接続しなおす。この処理をハンドオーバと呼ぶ。移動体端末が移動している際に、ハンドオーバを非実施だったり、ハンドオーバ実施が早かったり、不適切なハンドオーバを実施したりすると、無線リンクが切断される。このため、移動体端末は、直ぐに滞在しているセルを管理する基地局に対して無線リンクの接続を実施するという現象が発生する。
【００１１】
図２を参照して、ハンドオーバの処理シーケンスを説明する。図２において、ハンドオーバ実施元基地局２０６−Ａは、移動体端末３００にヒステリシス、スレッシュホールド等のハンドオーバパラメータ通知を送信する（Ｓ５０１）。Ｓ−ＧＷ２０７は、基地局２０６−Ａを介して、移動体端末３００にダウンリンクデータを送信する。複数の基地局２０６は、定期的にリファレンス信号を移動体端末３００に送信する（Ｓ５０２）。移動体端末３００は、受信した複数のリファレンス信号を比較して、ハンドオーバイベントを検出する（Ｓ５０３）。移動体端末３００は、ハンドオーバイベント通知メッセージを実施元基地局２０６−Ａに対して送信する（Ｓ４０４）。
【００１２】
移動体端末３００からハンドオーバイベント通知メッセージを受信した実施元基地局２０６−Ａは、ハンドオーバを実施を決断する（Ｓ５０６）。実施元基地局２０６−Ａは、ハンドオーバ実施先基地局２０６−Ｂに対してハンドオーバ要求メッセージを送信する（Ｓ５０７）。ハンドオーバ実施先基地局２０６−Ｂは、ハンドオーバ要求確認メッセージをハンドオーバ実施元基地局２０６−Ａに送信する（Ｓ５０８)。
【００１３】
ハンドオーバ実施元基地局２０６−Ａは、実施先基地局２０６−Ｂからハンドオーバ要求確認メッセージを受けた後、移動体端末３００に対してハンドオーバコマンドを送信する（Ｓ５０９）。移動体端末３００は、接続要求メッセージを実施先基地局２０６−Ｂに送信する（Ｓ５１１）。実施先基地局２０６−Ｂは、ハンドオーバ報告メッセージを移動体端末管理装置２０１に送信する（Ｓ５１２）。
【００１４】
移動体端末管理装置２０１は、Ｓ−ＧＷ２０７にデータパス変更要求メッセージを送信する（Ｓ５１３）。Ｓ−ＧＷ２０７は、移動体端末管理装置２０１にデータパス変更応答メッセージを送信する（Ｓ５１４）。
【００１５】
Ｓ−ＧＷ２０７は、実施先基地局２０６−Ｂにダウンリンクデータを送信する。Ｓ−ＧＷ２０７は、また、Ｅｎｄ ｏｆ ｄａｔａを実施元基地局２０６−Ａに対して送信する。実施元基地局２０６−Ａは、Ｅｎｄ ｏｆ ｄａｔａを実施先基地局２０６−Ｂに対して送信する。Ｅｎｄ ｏｆ ｄａｔａを受信した実施先基地局２０６−Ｂは、ダウンリンクデータを移動体端末３００に送信する。
【００１６】
移動体端末管理装置２０１は、実施先基地局２０６−Ｂにハンドオーバ報告確認メッセージを送信する（Ｓ５１６）。実施先基地局２０６−Ｂは、実施元基地局２０６−ＡにＵＥ Ｃｏｎｔｅｘｔ解放メッセージを送信し（Ｓ５１７）、ハンドオーバ処理を完了する。ここで、ＵＥ Ｃｏｎｔｅｘｔは、認証情報、端末識別情報等である。
【００１７】
図３を参照して、ハンドオーバ実施が早い場合の、無線リンク切断が発生する処理シーケンスを説明する。図３において、ステップ５２１からステップ５２７までは、図２のステップ５１１からステップ５１７までと同じなので、説明は省略する。
【００１８】
ハンドオーバ処理が完了した後、実施先基地局２０６−Ｂにおいて無線リンクが切断する。実施先基地局２０６−Ｂは、無線リンク切断通知メッセージを移動体端末管理装置２０１に送信する（Ｓ５２８）。移動体端末３００は、無線リンク再接続要求を実施元基地局２０６−Ａに送信する（Ｓ５２９）。しかし、実施元基地局２０６−Ａは、ＵＥ Ｃｏｎｔｅｘｔを解放して、無いため接続できない。このため、実施元基地局２０６−Ａは、移動体端末３００にＮＡＫを送信する（Ｓ５３１）。
【００１９】
移動体端末３００は、無線リンク接続要求を実施元基地局２０６−Ａに送信する（Ｓ５３２）。無線リンク接続要求を受信した実施元基地局２０６−Ａは、移動体端末管理装置２０１に無線リンク接続要求メッセージを送信する（Ｓ５３３）。移動体端末管理装置２０１は、ＵＥ Ｃｏｎｔｅｘｔ通知メッセージを基地局２０６−Ａに送信する（Ｓ５３４）。
【００２０】
基地局２０６−Ａは、移動体端末３００と無線リンク接続する。基地局２０６−Ａは、ＵＥ Ｃｏｎｔｅｘｔ通知応答メッセージを移動体端末管理装置２０１に送信する（Ｓ５３６）。移動体端末管理装置２０１は、Ｓ−ＧＷ２０７に、対象基地局に対するデータパス確立要求メッセージを送信する（Ｓ５３７）。Ｓ−ＧＷ２０７は、移動体端末管理装置２０１に、データパス確立応答メッセージを送信して（Ｓ５３８）、データパスを確立する。Ｓ−ＧＷ２０７は、基地局２０６−Ａを介して移動体端末３００にダウンリンクデータを送信する。
【００２１】
図４を参照して、不適切なセルへのハンドオーバ実施の場合の、無線リンク切断が発生する処理シーケンスを説明する。図４において、ステップ５２１からステップ５２７までは、図２のステップ５１１からステップ５１７までと同じなので、説明は省略する。
【００２２】
ハンドオーバ処理が完了した後、実施先基地局２０６−Ｂにおいて無線リンクが切断する。実施先基地局２０６−Ｂは、無線リンク切断通知メッセージを移動体端末管理装置２０１に送信する（Ｓ５２８）。移動体端末３００は、無線リンク再接続要求を第３の基地局２０６−Ｃに送信する（Ｓ５４１）。しかし、基地局２０６−Ｃは、ＵＥ Ｃｏｎｔｅｘｔが無いため接続できない。このため、基地局２０６−Ｃは、移動体端末３００にＮＡＫを送信する（Ｓ５４２）。
【００２３】
移動体端末３００は、無線リンク接続要求を基地局２０６−Ｃに送信する（Ｓ５４３）。無線リンク接続要求を受信した基地局２０６−Ｃは、移動体端末管理装置２０１に無線リンク接続要求メッセージを送信する（Ｓ５４４）。移動体端末管理装置２０１は、ＵＥ Ｃｏｎｔｅｘｔ通知メッセージを基地局２０６−Ｃに送信する（Ｓ５４６）。
【００２４】
基地局２０６−Ｃは、移動体端末３００と無線リンク接続する。基地局２０６−Ｃは、ＵＥ Ｃｏｎｔｅｘｔ通知応答メッセージを移動体端末管理装置２０１に送信する（Ｓ５４７）。移動体端末管理装置２０１は、Ｓ−ＧＷ２０７に、対象基地局に対するデータパス確立要求メッセージを送信する（Ｓ５４８）。Ｓ−ＧＷ２０７は、移動体端末管理装置２０１に、データパス確立応答メッセージを送信して（Ｓ５４９）、データパスを確立する。Ｓ−ＧＷ２０７は、基地局２０６−Ｃを介して移動体端末３００にダウンリンクデータを送信する。
【００２５】
ハンドオーバ未実施の場合は、ハンドオーバを実施することなく無線リンク切断が発生する。実施元基地局２０６−Ａは、無線リンク切断が移動体端末管理装置２０１に対して送信する。実施元基地局２０６−Ａとは異なる基地局２０６は、無線リンク接続要求を移動体端末管理装置に対して送信する。
【００２６】
このようなハンドオーバ実施による無線リンク切断を検出するためには、発生した基地局、発生時間、発生頻度、発生原因を運用オペレータが解析できなくてはならない。
非特許文献３では、各ｅＮＢにおいてハンドオーバ最適化を実施する。このため、無線リンク再接続要求メッセージを受け付けたｅＮＢは、メッセージに含まれる、再接続前に接続していたセル情報から、そのセルを管理する基地局に対して無線リンク切断通知メッセージを通知する。無線リンク切断通知メッセージを通知されたｅＮＢは、移動体端末３００の移動に追従した制御が実施できていない可能性があることを認識する。
【００２７】
特許文献１では、特定セル間のハンドオーバ性能を把握するために、複数基地局に対して直接管理装置を接続する構成を採る。管理装置は、ハンドオーバ施行回数と成功回数を測定する。管理装置は、それぞれの回数を比較し、ハンドオーバ性能の隔たりを算出する。特許文献１では、ハンドオーバ失敗が多発しているセルを把握することはできる。しかし、ハンドオーバ実施による無線リンク切断が発生しているかどうかは特定することができない。
【先行技術文献】
【特許文献】
【００２８】
【特許文献１】特開２００９−１８２５３８号公報
【非特許文献】
【００２９】
【非特許文献１】３ＧＰＰ ＴＳ３２.４２５： Telecommunication management; Performance Measurement (PM); Performance measurements Evolved Universal Terrestrial Radio Access Network (Release 8)
【非特許文献２】３ＧＰＰ ＴＳ ３２.４２１： Telecommunication management; Subscriber and equipment trace; Trace concepts and requirements (Release 8)
【非特許文献３】３ＧＰＰ ＴＲ ３６.９０２： Technical Specification Group Radio Access Network; Evolved Universal Terrestrial Radio Access Network (E-UTRAN); Self-configuring and self-optimizing network use case and solutions (Release 9)
【発明の概要】
【発明が解決しようとする課題】
【００３０】
移動体通信システムは、ハンドオーバ実施による無線リンク切断を検出する。ここで、移動体通信システムは、システム内において同一の判断基準で検出する。さらに、移動体通信システムは、全体バランスを考慮したシステム構築のため、システム全体の状況を把握する。
【００３１】
また、環境的な要因（例えばエレベータに入った）によるカバレージホールによる無線リンク切断は、ハンドオーバ要因による無線リンク切断と同じように見える場合がある。このため、このような環境に関しては、運用オペレータ指示により、特定の基地局間のハンドオーバに関して、ハンドオーバ実施による無線リンク切断として検出しても、最適化を実施しないようにする必要がある。
【００３２】
非特許文献１のＰＭでは、ハンドオーバ失敗と無線リンク切断が多発している基地局を把握することはできる。しかし、ハンドオーバの実施により無線リンク切断が発生しているかどうかまでは特定することができない。
【００３３】
非特許文献２のトレース情報を用いる場合、全セルにおける全移動体端末のトレースを実施する必要がある。しかし、トレース情報は、膨大である。このため、通常数分程度のトレース情報しか集めることができない。つまり、システム全体の状況を把握することはできない。また、集められたトレース情報から移動体端末の移動と接続状態を把握するためには、基地局・移動体端末単位に分離しているトレース情報から対応するものを抽出し、結合するという処理が必要になる。システム稼動時のシステム全体の状況を把握するには、本方法では、各ノードにおける処理負荷とネットワーク負荷が大きくなり、実用的ではない。
【００３４】
非特許文献３では、各ｅＮＢにおいて移動による無線リンク切断を検出することはできる。しかし、これらをハンドオーバによる無線リンク切断と確認するためには、各ｅＮＢハンドオーバ実施状況との対応が必要となる。システムが異なるベンダのｅＮＢから構成されている場合、実装が異なる可能性がある。このため、各ｅＮＢで検出される情報が同等でない可能性がある。これを回避するためには、事前に検出のためのルールを全ｅＮＢに配布すること必要があり、ネットワーク負荷がかかる。さらに、運用オペレータが問題発生を把握できず、システム全体の発生頻度を把握することができない。このため、システムバランスを考慮した制御ができない。また、カバレッジホールなどが存在する場合、運用オペレータによる判断を介在させることができない。
【００３５】
また、異なるシステム間のハンドオーバの場合、具体的にはＬＴＥからＧＰＲＳ、ＬＴＥからＥＶ−ＤＯなどのハンドオーバといった場合、非特許文献３では要因発生を検出することができないという問題もある。
【００３６】
本発明の目的は、上述した課題を解決し、ネットワーク負荷を増やす事無く、マルチシステム全体のハンドオーバ要因による無線リンク切断を容易に検出できる方法およびその監視装置を提供することにある。さらに他の目的は、運用オペレータが容易にシステム全体のハンドオーバ実施による無線リンク切断の発生を同一方法で検出した結果を参照できることにある。
【課題を解決するための手段】
【００３７】
上述した課題は、移動体端末管理装置に対する送受信メッセージを監視し、ハンドオーバ完了を通知するメッセージと無線リンク切断を通知するメッセージと無線リンク接続を要求するメッセージとを抽出するステップと、移動体端末対応に、ハンドオーバ完了を通知するメッセージを抽出したとき、ハンドオーバ実施元セルとハンドオーバ実施先セルとを記憶し、ハンドオーバ実施経過時間の計測を開始するステップと、無線リンク切断を通知するメッセージを抽出したとき、切断時に接続していた切断時セルを記憶し、無線リンク切断時間の計測を開始するステップと、無線リンク接続を要求するメッセージを抽出したとき、接続した接続時セルを記憶し、ハンドオーバ実施経過時間および無線リンク切断時間の計測を停止するステップと、切断時セルと接続時セルとが異なり、かつ無線リンク切断時間が第１の所定時間よりも短いとき、ハンドオーバ要因による無線リンク切断が発生したと判断するステップと、さらに、ハンドオーバ実施経過時間が第２の所定時間よりも長いとき、ハンドオーバの未実施を原因とし、ハンドオーバ実施経過時間が第２の所定時間よりも短く、かつハンドオーバ実施元セルと無線リンク接続時セルが同一であるとき、ハンドオーバの早い実施を原因とし、ハンドオーバ実施経過時間が第２の所定時間よりも短く、かつハンドオーバ実施元セルと接続時セルが同一でないとき、不適切なハンドオーバ実施を原因と判断するステップとを含む無線リンク切断原因検出方法により、達成できる。
【００３８】
また、移動体端末の移動を管理する複数の装置に対する送受信メッセージの監視するステップと、移動体端末対応に、ハンドオーバ完了を通知するメッセージを抽出したとき、ハンドオーバ実施元セルとハンドオーバ実施先セルとを記憶し、ハンドオーバ実施経過時間の計測を開始するステップと、無線リンク切断を通知するメッセージを抽出したとき、切断時に接続していた切断時セルを記憶し、無線リンク切断時間の計測を開始するステップと、無線リンク接続を要求するメッセージを抽出したとき、接続した接続時セルを記憶し、ハンドオーバ実施経過時間および無線リンク切断時間の計測を停止するステップと、
切断時セルと接続時セルが異なり、かつ無線リンク切断時間が第１の所定時間よりも短いとき、ハンドオーバ要因による無線リンク切断が発生したと判断するステップと、さらに、ハンドオーバ実施経過時間が第２の所定時間よりも長いとき、ハンドオーバの未実施を原因とし、ハンドオーバ実施経過時間が第２の所定時間よりも短く、かつハンドオーバ実施元セルと無線リンク接続時セルが同一であるとき、ハンドオーバの早い実施を原因とし、ハンドオーバ実施経過時間が第２の所定時間よりも短く、かつハンドオーバ実施元セルと接続時セルが同一でないとき、不適切なハンドオーバ実施を原因と判断するステップとを含む無線リンク切断原因検出方法により、達成できる。
【００３９】
さらに、ハンドオーバ実施による無線リンク切断を検出する移動体通信システム監視装置であって、移動体端末の移動を管理する装置に対する送受信メッセージを監視する手段と、監視している送受信メッセージからハンドオーバ完了を報告するメッセージと、無線リンクの切断を通知するメッセージと、無線リンク接続を要求するメッセージとを抽出する手段と、移動体端末対応に、ハンドオーバ実施元セルとハンドオーバ実施先セルと無線リンク切断時セルと無線リンク接続時セルとハンドオーバ実施経過時間とム無線リンク切断経過時間を管理する手段と、ハンドオーバ完了を報告するメッセージを抽出したとき、ハンドオーバ実施元セルとハンドオーバ実施先セルを記憶し、ハンドオーバ実施経過時間の計測を開始する手段と、無線リンク切断を通知するメッセージを抽出したとき、切断時に接続していた切断時セルを記憶し、無線リンク切断時間の計測を開始する手段と、無線リンク接続を要求するメッセージを抽出したとき、接続した接続時セルを記憶し、ハンドオーバ実施経過時間および無線リンク切断時間の計測を停止する手段と、無線リンク切断時セルと接続時セルが異なり、かつ無線リンク切断時間が第１の所定時間よりも短いとき、ハンドオーバ要因による無線リンク切断が発生したと判断する手段と、ハンドオーバ実施経過時間が第２の所定時間よりも長いとき、ハンドオーバ未実施を原因とし、ハンドオーバ実施経過時間が第２の所定時間よりも短く、かつハンドオーバ実施元セルと無線リンク接続時セルが同一であるとき、ハンドオーバの早い実施を原因とし、ハンドオーバ実施経過時間が第２の所定時間よりも短く、かつハンドオーバ実施元セルと無線リンク接続時セルが同一でないとき、不適切なハンドオーバ実施を原因と判断する手段とを備える移動体通信システム監視装置により、達成できる。
【発明の効果】
【００４０】
本発明によれば、異なるシステムから構成される移動体通信システムにおいて、ネットワークの負荷を増やすことなく、システム全体のハンドオーバによる無線リンク切断の検出とその原因の分析を同一要件で実施することができるという効果が得られる。さらに、運用オペレータが、移動体通信システム全体の結果を一度に参照できるという効果が得られる。
【図面の簡単な説明】
【００４１】
【図１】移動体通信システムのブロック図である。
【図２】ＬＴＥにおける基地局間ハンドオーバの処理シーケンス図である。
【図３】ＬＴＥにおける基地局間ハンドオーバ実施が早かった場合の処理シーケンスである。
【図４】ＬＴＥにおける不適切な基地局へのハンドオーバを実施した場合の処理シーケンスである。
【図５】マルチシステムで構成された移動体通信システムとその運用システムのブロック図である。
【図６】移動体管理装置監視エンティティの機能ブロックである。
【図７】ハンドオーバ実施状態管理エントリの構成である。
【図８】非対象テーブルの構成である。
【図９】無線リンクの切断原因管理エントリの構成である。
【図１０】ハンドオーバ実施状態監視部におけるハンドオーバ実施による無線リンク切断を検出する処理フローである。
【図１１】無線リンクの切断原因分析処理の処理フローである。
【図１２】運用オペレータに対して表示するハンドオーバ要因による無線リンク切断発生一覧のＧＵＩである。
【図１３】マルチシステム間のハンドオーバの処理シーケンスである。
【発明を実施するための形態】
【００４２】
以下、本発明の実施の形態について、実施例を用い図面を参照しながら、詳細に説明する。なお、実質同一部位には、同じ参照番号を振り、説明は繰り返さない。
まず、図５を参照して、マルチシステムで構成されている移動体通信システム５００の構成を説明する。図５において、移動体通信システム５００は、ＬＴＥとＧＰＲＳの２つのシステムを収容している。しかし、システムの組み合わせはこれに限るものではない。また、移動体通信システム５００は、２システム以上を収容してもよい。
【００４３】
移動体通信システム５００は、無縁アクセスネットワーク２１１、パケットコアネットワーク２１２、運用管理ネットワーク２１３から構成される。無線アクセスネットワーク２１１は、ＧＰＲＳのＲＮＣ２０９とＢＳ２０８、ＬＴＥの基地局である複数のｅＮＢ２０６から構成される。パケットコアネットワーク２１２は、ＧＰＲＳのＳＧＳＮ２１０とＧＧＳＮ２１４、ＬＴＥのＳ−ＧＷ２０７とＰ−ＧＷ２１５、移動体端末管理装置２０１、複数のルータ２１６から構成される。運用管理ネットワーク２１３は、移動体管理装置監視エンティティ１００、複数のＥＭＳ２０２、オペレータ端末２０３、ＮＭＳ２０４、ストレージ２０５、ルータ２１６−Ｄで構成される。
【００４４】
無線アクセスネットワーク２１１とパケットコアネットワーク２１２の構成機器を管理運用するため、運用管理ネットワーク２１３のＥＭＳ２０２は、機器対応およびベンダ対応に配置する。ＥＭＳ２０２は、ＰＭと呼ばれる統計情報をＮＭＳ２０４に収集する。運用オペレータは、オペレータ端末２０３を用いて、ＥＭＳ２０２あるいはＮＭＳ２０４において収集したＰＭを解析して、ネットワークの改善を行なう。また、運用オペレータは、ＥＭＳ２０２を介して各機器に対してシステムパラメータと呼ばれる機器の処理の用いるパラメータを設定、参照する。  ＢＳ２０８とｅＮＢ２０６は、図示しない移動体端末３００を接続する。ＲＮＣ２０９は、複数のＢＳ２０８を制御する。ＳＧＳＮ２１０とＳ−ＧＷ２０７は、無線アクセスネットワーク２１１をパケットコアネットワークに接続する。ＧＧＳＮ２１４とＰ−ＧＷ２１５は、パケットコアネットワーク２１２をＩＰ網２２０に接続する。移動体端末管理装置２０１は、ＬＴＥにおいて、移動体端末３００の移動を管理する。ＳＧＳＮ２１０は、ＧＰＲＳにおいて、移動体端末３００の移動を管理する。ルータ２１６は、上述した機器間を接続する。
【００４５】
ＥＭＳ２０２−Ａ、ＥＭＳ２０２−Ｂは、移動体端末のベンダ対応で、設置される。ＮＭＳ２０４は、ＥＭＳ２０２を介してＰＭを収集する。ストレージ２０５は、収集したＰＭを格納する。オペレータ端末２０３は、運用オペレータが操作する端末である。移動体管理装置監視エンティティ１００は、移動体端末管理装置２０１とルータ２１６−Ｃとの間のパケットおよびＳＧＳＮ２１０とルータ２１６−Ｃとの間のパケットを監視する。ルータ２１６−Ｄは、上述した機器間を接続する。
【００４６】
以下、ハンドオーバ実施による無線リンク切断原因の検出方法について詳細について述べる。
図６を参照して、移動体管理装置監視エンティティ１００の構成を説明する。図６において、移動体管理装置監視エンティティ１００は、制御部１１０、記憶装置１１１、ＮＷ Ｉ／Ｆ部１１２から構成されている。制御部１１０は、ハンドオーバ実施状態監視部１０１、メッセージ抽出部１０４、非対象テーブルマネージャ１０５、外部ストーレッジ転送部１０６、ユーザＩ／Ｆ処理部１０７、タイマ１１３から構成される。記憶装置１１１は、非対象テーブル１０８、ハンドオーバ実施状態管理エントリ１０２、切断原因管理エントリ１０３を記憶する。ＮＷ Ｉ／Ｆ部１１２は、ＩＰパケットフィルタ１０９を備える。
【００４７】
移動体管理装置監視エンティティ１００は、ＮＷ Ｉ／Ｆ部１１２を介して、ｅＮＢ２０６、ＲＮＣ２０９、Ｓ−ＧＷ２０７、ＳＧＳＮ２１０、移動体端末管理装置２０１などからＰＭやトレース情報などを収集する。
【００４８】
ＮＷ Ｉ／Ｆ部１１２のＩＰパケットフィルタ１０９は、移動体端末管理装置２０１へ送信されるＩＰパケット、および移動体端末管理装置２０１から送信されるＩＰパケットを抽出する。オペレータ端末２０３は、ＩＰパケットフィルタ１０９に対して、フィルタ対象のＩＰアドレスを設定する。これにより、監視する移動体端末管理装置２０１の送受信するＩＰパケットを抽出する。
【００４９】
制御部１１０のメッセージ抽出部１０４は、ＩＰパケットフィルタ１０９を介して受信したＩＰパケットからハンドオーバ報告確認メッセージ、無線リンク切断通知メッセージ、無線リンク接続要求メッセージを抽出する。ハンドオーバ実施状態監視部１０１は、ハンドオーバ要因による無線リンク切断とその要因を分析する。ユーザＩ／Ｆ処理部１０７は、オペレータ端末２０３などを介して運用オペレータとのＩ／Ｆを提供する。
【００５０】
非対象テーブルマネージャ１０５は、ハンドオーバ要因による無線リンク切断分析の対象としないハンドオーバ実施元セルとハンドオーバ実施先セルを非対象テーブル１０８に登録する。外部ストレージ転送部１０６は、分析した結果を格納している切断原因エントリ１０３を一定周期毎に外部ストレージに転送する。なお、ハンドオーバ要因による無線リンク切断分析の対象としないハンドオーバ実施元セルとハンドオーバ実施先セルは、オペレータ端末２０３からユーザＩ／Ｆ処理部１０７を介して指定される。
移動体端末対応のハンドオーバ実施状態管理エントリ１０２は、ハンドオーバ実施状態監視部１０１が処理を実施する際に利用する。
【００５１】
図７を参照して、ハンドオーバ実施状態管理エントリ１０２の構成を説明する。ハンドオーバ実施状態管理エントリ１０２は、移動体端末識別子３００、接続セル識別子３０１、ハンドオーバ実施元セル識別子３０２、切断時セル識別子３０３、ハンドオーバ実施後経過タイマ３０４、無線リンク切断経過タイマ３０５から構成する。
【００５２】
接続セル識別子３０１は、移動体端末が現在接続しているセル識別子を格納する。ハンドオーバ実施元セル識別子３０２は、ハンドオーバ実施の際にハンドオーバ実施元のセルを格納する。切断時セル識別子３０３は、移動体端末が無線リンク切断時に接続していたセル識別子を格納する。ハンドオーバ実施後経過タイマ３０４は、ハンドオーバ報告メッセージを受信してからの経過時間を計測する。無線リンク切断経過タイマ３０５は、無線リンク切断通知メッセージを受信してからの経過時間を計測する。
【００５３】
図８を参照して、運用オペレータにより設定される非対象テーブル１０８の構成を説明する。図８において、非対象テーブル１０８は、ハンドオーバ実施元セル識別子３０６とハンドオーバ実施先セル識別子３０７の組から構成する。
【００５４】
図９を参照して、ハンドオーバ要因による無線リンク切断原因を検出した際にその結果を登録する原因管理エントリ１０５の構成を説明する。図９において、原因管理エントリ１０５は、ハンドオーバ実施元セル識別子３０８、無線リンク切断発生日時３０９、無線リンクが切断した移動体端末識別子３１０、ハンドオーバ実施状態監視部１０１により分析した切断原因３１１、ハンドオーバ実施先セル識別子３１２、無線リンク切断時セル識別子３１３、ハンドオーバ実施経過時間３１４、無線リンク切断経過時間３１５から構成される。
【００５５】
以下、これらのエントリとテーブルを用いて実施するハンドオーバ実施による無線リンク切断検出の処理について説明する。
図１０を参照して、ハンドオーバ要因による無線リンク切断の基本検出フローを説明する。図１０において、移動体管理装置監視エンティティ１００のＩＰパケットフィルタ１０９は、移動体端末管理装置２０１へ送信されるＩＰパケットと移動体端末管理装置２０１から送信されるＩＰパケットを抽出する。メッセージ抽出部１０４は、ＩＰパケットフィルタ１０９を介して受信したＩＰパケットからハンドオーバ報告確認メッセージ５１１と無線リンク切断通知メッセージ５１４と無線リンク接続要求メッセージ５１７を抽出し、ハンドオーバ実施状態監視部１０１に渡すことによって、フローは開始される。
【００５６】
図１０において、ハンドオーバ実施状態監視部１０１は、ハンドオーバ報告／応答メッセージか判定する（Ｓ４０１）。ＹＥＳのとき、ハンドオーバ実施状態監視部１０１は、メッセージから得られるハンドオーバ実施対象の移動端末の移動体端末識別子と同じ移動体端末識別子３００を持つハンドオーバ実施状態管理エントリ１０２を検索する。ハンドオーバ実施状態監視部１０１は、ハンドオーバ実施元のセル識別子を検索したハンドオーバ実施状態管理エントリ１０２のハンドオーバ実施元セル識別子３００として記憶する。また、ハンドオーバ実施状態監視部１０１は、ハンドオーバ実施先のセル識別子をハンドーバ実施状態管理エントリ１０２の接続セル識別子３０１として記憶する。さらに、ハンドオーバ実施状態監視部１０１が、開始時の時刻をハンドオーバ実施状態管理エントリ１０２のハンド実施後経過タイマ３０４に格納することにより、ハンドオーバ実施後経過時間の計測を開始して（Ｓ４０２）、終了する。
【００５７】
ステップ４０１でＮＯのとき、ハンドオーバ実施状態監視部１０１は、受信したのが無線リンク切断メッセージか判定する（Ｓ４０３）。ＹＥＳのとき、ハンドオーバ実施状態監視部１０１は、メッセージから得られる無線リンクが切断した移動端末の移動体端末識別子と同じ移動体端末識別子を持つハンドオーバ実施状態管理エントリ１０２を検索する。ハンドオーバ実施状態監視部１０１は、セル識別子を検索したハンドーバ実施状態管理エントリ１０２に切断時セル識別子３０３として記憶する。また、ハンドオーバ実施状態監視部１０１が開始時の時刻をハンドオーバ実施状態管理エントリ１０２の無線リンク切断経過タイマ３０５に設定することにより、無線リンク切断経過時間の計測を開始して（Ｓ４０４）、終了する。
【００５８】
ステップ４０３でＮＯのとき、ハンドオーバ実施状態監視部１０１は、無線リンク接続メッセージか判定する（Ｓ４０６）。ＹＥＳのとき、ハンドオーバ実施状態監視部１０１は、メッセージから得られる無線リンクが接続した移動端末の移動端末識別子と同じ移動体識別子を持つハンドオーバ実施状態管理エントリ１０２があるかどうかを判定する（Ｓ４０７）。ＹＥＳのとき、ハンドオーバ実施状態監視部１０１は、ハンドオーバ実施状態管理エントリ１０２のハンドオーバ実施後経過タイマ３０４の設定した開始時刻と停止時刻より求める経過時間をハンドオーバ実施後経過タイマ３０４に設定することにより、ハンドオーバ実施後経過時間の計測を停止する。ハンドオーバ実施状態監視部１０１が、ハンドオーバ実施状態管理エントリ１０２の無線リンク切断経過タイマ３０５に設定した開始時刻と停止時刻より求める経過時間を無線リンク経過タイマ３０５に設定することにより、無線リンク切断経過時間の計測を停止する。また、ハンドオーバ実施状態監視部１０１は、接続時のセル識別子を接続セル識別子３０１として記憶する。（Ｓ４０８）。ハンドオーバ実施状態監視部１０１は、切断時セル識別子と接続セル識別子が異なるか判定する（Ｓ４０９）。
【００５９】
ＹＥＳのとき、ハンドオーバ実施状態監視部１０１は、切断要因分析を実施して（Ｓ５００）、終了する。ステップ４０７でＮＯのとき、ハンドオーバ実施状態監視部１０１は、ハンドオーバ実施状態管理エントリを確保し、移動体端末識別子、接続セル識別子を記憶して（Ｓ４１１）、終了する。ステップ４０６またはステップ４０９でＮＯのとき、ハンドオーバ実施状態監視部１０１は、そのまま終了する。
【００６０】
図１１を参照して、切断原因分析処理フローを説明する。図１１において、ハンドオーバ実施状態監視部１０１は、ハンドオーバの実施元セル識別子と切断時セル識別子の組は、非対象テーブルに登録されているか判定する（Ｓ６０１）。ＹＥＳのとき、ハンドオーバ実施状態監視部１０１は、リターンする。ステップ６０１でＮＯのとき、ハンドオーバ実施状態監視部１０１は、無線リンク切断経過時間が無線リンク切断所定時間以下か判定する（Ｓ６０２）。ＹＥＳのとき、ハンドオーバ実施状態監視部１０１は、ハンドオーバ未実施またはハンドオーバ実施経過時間がハンドオーバ実施所定時間を超えているか判定する（Ｓ６０３）。ＹＥＳのとき、ハンドオーバ実施状態監視部１０１は、原因としてハンドオーバ未実施の場合を切断原因管理エントリ１０３の切断原因３１１として登録して（Ｓ６０４）。リターンする。同時に，ハンドオーバ実施状態監視部１０１は、ハンドオーバ実施状態管理エントリ１０２の移動体端末識別子３００を切断原因管理エントリ１０３の移動体端末識別子３１０に、ハンドオーバ実施元セル識別子３０２をハンドオーバ実施元セル識別子３０８に、接続セル識別子３０１を無線リンク接続時セル識別子３１３に、現在の日時を発生日時３０９に設定する。
【００６１】
ステップ６０２でＮＯのとき、ハンドオーバ実施状態監視部１０１は、そのままリターンする。ステップ６０３でＮＯのとき、ハンドオーバ実施状態監視部１０１は、ハンドオーバ実施元セル識別子が接続セル識別子と等しいか判定する（Ｓ６０６）。ＹＥＳのとき、ハンドオーバ実施状態監視部１０１は、原因として、不適切なセルへのハンドオーバ実施の場合を切断原因管理エントリ１０３の切断原因３１１として登録して（Ｓ６０７）、リターンする。同時に，ハンドオーバ実施状態監視部１０１は、ハンドオーバ実施状態管理エントリ１０２の移動体端末識別子３００を切断原因管理エントリ１０３の移動体端末識別子３１０に、ハンドオーバ実施元セル識別子３０２をハンドオーバ実施元セル識別子３０８に、接続セル識別子３０１を無線リンク接続時セル識別子３１３に、切断時セル識別子３０３をハンドオーバ実施先セル識別子３１２に、ハンドオーバ実施後経過タイマ３０４に設定されている値をハンドオーバ実施後経過時間３１４に、無線リンク切断経過タイマ３０５に設定されている値を無線リンク切断経過時間３１５に、現在の日時を発生日時３０９に設定する。ステップ６０６でＮＯのとき、ハンドオーバ実施状態監視部１０１は、原因として、ハンドオーバ実施が早い場合を切断原因管理エントリ１０３の切断原因３１１として登録して（Ｓ６０８）、リターンする。同時に，ハンドオーバ実施状態監視部１０１は、ハンドオーバ実施状態管理エントリ１０２の移動体端末識別子３００を切断原因管理エントリ１０３の移動体端末識別子３１０に、ハンドオーバ実施元セル識別子３０２をハンドオーバ実施元セル識別子３０８に、切断時セル識別子３０３をハンドオーバ実施先セル識別子３１２に、ハンドオーバ実施後経過タイマ３０４に設定されている値をハンドオーバ実施後経過時間３１４に、無線リンク切断経過タイマ３０５に設定されている値を無線リンク切断経過時間３１５に、現日時を発生日時３０９に設定する。
【００６２】
図１１で説明したように、パケットコアネットワークシステム２１２において、ハンドオーバ報告確認メッセージ、無線リンク切断通知メッセージ、無線リンク接続要求メッセージを抽出して上述の処理を行なうことにより、ハンドオーバ実施状態監視部１０１は、ハンドオーバ実施による無線リンク切断を検出すると共にその原因の分析を行なう。
【００６３】
原因の分析を行なう際に利用する無線リンク切断所定時間とハンドオーバ実施所定時間について説明する。
【００６４】
無線リンク切断所定時間は、移動先の基地局から送信されるＳｙｓｔｅｍ Ｉｎｆｏｒｍａｔｉｏｎを受信し、移動先の基地局に再接続するまでの時間を考慮して定める必要がある。メッセージ遅延を考慮すると、ＬＴＥ標準で許容されている時間から、１.２秒より大きく定める必要がある。無線リンク切断所定時間は、システムとして一意に定めても良いし、基地局対応にＳｙｓｔｅｍ Ｉｎｆｏｒｍａｔｉｏｎの送信周期時間を定めている場合、基地局に設定するシステムパラメータからその周期を入手し、基地局対応に無線リンク切断所定時間に定めても良い。この場合、ハンドオーバ実施状態管理エントリ１０２で無線リンク切断所定時間を管理する。
【００６５】
ハンドオーバ実施所定時間は、移動体端末が無線リンクの切断と判断し、移動先の基地局から送信されるＳｙｓｔｅｍ Ｉｎｆｏｒｍａｔｉｏｎを受信し、移動先の基地局に再接続するまでの時間を考慮して定める必要がある。ＬＴＥ標準では、無線リンク切断を判断するまでの時間はデフォルトで２秒であるので、３.２秒より大きく設定する必要がある。基地局対応に無線リンク切断までの時間を定めている場合、ハンドオーバ実施所定時間は、基地局に設定しているシステムパラメータからその時間を入手し、基地局対応にハンドオーバ実施所定時間に定めても良い。この場合、ハンドオーバ実施状態管理エントリ１０２でハンドオーバ実施切断所定時間を管理する。
【００６６】
運用オペレータが、ハンドオーバ要因の無線リンク切断発生に関して解析を実施する場合、オペレータ端末２０３を介してストレージに格納された原因管理エントリの情報を収集し、切断原因管理エントリ１０３内のハンドオーバ実施元セル識別子３０８対応に結果を表示する。
【００６７】
図１２を参照して、ハンドオーバ要因無線リンク切断発生一覧のＧＵＩ画面を説明する。図１２において、ハンドオーバ要因無線リンク切断発生一覧画面５０１は、無線リンク切断が発生した際のハンドオーバ実施元セル識別子３０８対応に表示する。
【００６８】
原因５０３Ａが「ハンドオーバ未実施の場合」である場合、ハンドオーバ要因無線リンク切断発生一覧画面５０１は、無線リンク接続識別子５０４Ａと発生回数５０６Ａと詳細アイコン５０７Ａを表示する。
【００６９】
原因５０３Ｂが「ハンドオーバ実施が早い場合」である場合、ハンドオーバ要因無線リンク切断発生一覧画面５０１は、ハンドオーバ実施先セル識別子５０５Ａと発生回数５０６Ｂと詳細アイコン５０７Ｂを表示する。
【００７０】
原因５０３Ｃが「不適切なセルへのハンドオーバ実施の場合」である場合、ハンドオーバ要因無線リンク切断発生一覧画面５０１は、ハンドオーバ実施先セル識別子５０５Ｂ、無線リンクセル識別子５０４Ｂ、発生回数５０６Ｃ、および詳細アイコン５０７Ｃを表示する。
【００７１】
詳細アイコン５０７Ａ〜Ｃを選択した場合、ハンドオーバ要因無線リンク切断発生一覧画面５０１は、原因に対応した無線リンク切断の影響を受けた移動体端末識別子３１０とその発生日時３０９を一覧として表示したり、時間による発生回数の変化を表示したりする。
【００７２】
図１２では、ハンドオーバ実施元セル識別子５０２対応に一つの原因により無線リンク切断が発生した状況を示している。複数の原因がある場合、原因を追加して表示してもよい。ここでは一覧として表示しているが、システム全体の状況を知るためには、各原因対応にハンドオーバ実施元セル識別子に対する発生回数を縦軸に示すグラフとして示しても良い。発生回数は、指定した最新の時間内の回数を示すものとしても良い。
【００７３】
このように原因別比較結果の表示や発生回数の換算方法を変更するため、原因別比較アイコン５０８と設定アイコン５０９を表示画面５０１内に表示する。
【００７４】
また、ハンドオーバによる切断は、地形の影響を受けて発生することもあることから、ハンドオーバ実施もセル識別子５０２をアイコンとし、それを選択すると周辺地図が現れるようにしてもよい。また、セル配置を記載した地図上に、原因を色分けし、さらに発生回数を濃淡で表現することにより、結果を表示してもよい。
【００７５】
このような表示情報を参照して、運用オペレータはシステム全体の結果を考慮して、ハンドオーバ実施元セルに対するハンドオーバに関連したシステムパラメータを最適化するかどうかを判断していく。判断を実施する際に、さらに詳細な情報を得るために、移動体端末識別子に対応したトレース情報をストレージから検索して参照してもよい。
【００７６】
次に、図１３を参照して、ＬＴＥからＧＰＲＳへのハンドオーバを実施する場合の処理シーケンスを説明する。図１３において、ハンドオーバ実施元ｅＮＢ２０６は、移動体端末からのハンドオーバイベントを受けて、システム間ハンドオーバ実施を決断する（Ｓ７０１）。実施元ｅＮＢ２０６は、移動体端末管理装置２０１に対してハンドオーバ要求メッセージを送信する（Ｓ７０２）。移動体端末管理装置２０１は、ハンドオーバ要求メッセージを受信してシステム間ハンドオーバ要求であることから、ハンドオーバ要求転送メッセージを該当する実施先ＳＧＳＮ２１０に対して転送する（Ｓ７０３）。
【００７７】
実施先ＳＧＳＮ２１０は、ハンドオーバ要求転送メッセージを受け付けると、ＧＧＳＮ２１４に対してセションクリエイト要求メッセージを送信する（Ｓ７０４）。ＧＧＳＮ２１４は、実施元ＳＧＳＮにセッションクリエイト応答を返信する（Ｓ７０６）。また、実施先ＳＧＳＮ２１０は、実施先ＲＮＣ２０９に対してリソース再配置要求メッセージを送信する（Ｓ７０７）。実施先ＲＮＣ２０９は、実施先ＳＧＳＮ２１０に対してソース再配置応答メッセージを返信する（Ｓ７０７）。さらに、実施先ＳＧＳＮ２１０は、ＧＧＳＮ２１４に対して、データ転送をＩｎｄｉｒｅｃｔ Ｄａｔａ Ｆｏｒｗａｒｄ要求メッセージを送信する（Ｓ７０９）。ＳＧＳＮ２１０は、実施先ＳＧＳＮ２１０に対してＩｎｄｉｒｅｃｔ Ｄａｔａ Ｆｏｒｗａｒｄ応答メッセージを返信する（Ｓ７１１）。
【００７８】
ＳＧＳＮ２１０は、移動体端末管理装置２０１に対してハンドオーバ応答メッセージを送信する（Ｓ７１２）。移動体端末管理装置２０１は、ハンドオーバ応答メッセージを受信すると、Ｓ−ＧＷ２９７に対して、Ｄａｔａ Ｆｏｒｗａｒｄ要求メッセージを送信し、データ転送を依頼する（Ｓ７１３）。Ｓ−ＧＷ２９７は、移動体端末管理装置２０１に対して、Ｄａｔａ Ｆｏｒｗａｒｄ応答メッセージを返信する（Ｓ７１４）。次に、移動体端末管理装置２０１は、ハンドオーバコマンドメッセージを実施元ｅＮＢ２０６に送信する（Ｓ７１６）。
【００７９】
実施元ｅＮＢ２０６は、移動体端末管理装置２０１からハンドオーバコマンドメッセージを受信した後、移動体端末３００Ａに対してハンドオーバコマンドメッセージを送信し、移動体端末３００Ａに対して、実施先ＲＮＣ２０９に接続することを指示する（Ｓ７１７）。移動体端末３００Ａは、接続要求メッセージを実施先ＲＮＣ２０９対してＢＳ２０８を介して送信する（Ｓ７１８）。
【００８０】
実施元ｅＮＢ２０６は、Ｓ−ＧＷ２９７にＥｎｄ ｏｆ Ｄａｔａを送信する。Ｓ−ＧＷ２９７は、ＧＧＳＮ２１４にＥｎｄ ｏｆ Ｄａｔａを送信する。ＧＧＳＮ２１４は、実施先ＳＧＳＮ２１０にＥｎｄ ｏｆ Ｄａｔａを送信する。実施先ＳＧＳＮ２１０は、実施先ＳＧＳＮ２１０にＥｎｄ ｏｆ Ｄａｔａを送信する。実施先ＳＧＳＮ２１０は、移動体端末３００ＡにＥｎｄ ｏｆ Ｄａｔａを送信する。
【００８１】
実施先ＲＮＣ２０９は、Ｅｎｄ ｏｆ Ｄａｔａを備えたデータを受信した後、リソース再配置完了メッセージを実施先ＳＧＳＮ２１０に送信する（Ｓ７１９）。実施先ＳＧＳＮ２１０は、Ｄａｔａ Ｆｏｒｗａｒｄ完了メッセージを移動体端末管理装置２０１に対して送信し、データ転送完了を伝える（Ｓ７２１）。移動体端末管理装置２０１は、実施先ＳＧＳＮ２１０に対して、Ｄａｔａ Ｆｏｒｗａｒｄ完了応答メッセージを返信する。
【００８２】
移動体端末管理装置２０１は、Ｓ−ＧＷ２０７と実施元ｅＮＢ２０６に対してセションリリース要求メッセージを送信する（Ｓ７２３、Ｓ７２４）。Ｓ−ＧＷ２０７は、移動体端末管理装置２０１に対して、セションリリース応答メッセージを送信して（Ｓ７２６）、ハンドオーバ処理を完了する。
【００８３】
マルチシステム間のハンドオーバに対して無線リンク切断を検出する方法について説明する。図１３のような、システム間ハンドオーバ処理に対応するため、図５または図６に戻って、移動体管理装置監視エンティティ１００のＮＷ Ｉ／Ｆ部１１２のＩＰパケットフィルタ１０９は、移動体端末管理装置２０１およびＳＧＳＮ２１０に対する送受信ＩＰパケットを抽出する。
【００８４】
メッセージ抽出部１０４では、ＩＰパケットフィルタ１０９を介して受信したＩＰパケットから、移動体端末管理装置２０１およびＳＧＳＮ２１０宛てと移動体端末管理装置２０１およびＳＧＳＮ２１０からの無線リンク切断通知メッセージ、無線リンク接続メッセージ、ハンドオーバ報告確認メッセージ、およびハンドオーバ応答メッセージを抽出する。移動体端末管理装置２０１およびＳＧＳＮ２１０は、移動体端末の移動を管理する装置である。
【００８５】
ハンドオーバ実施状態監視部１０１は、ハンドオーバ報告確認メッセージあるいはハンドオーバ応答メッセージを受信した場合、対応する移動体端末に対応したハンドオーバ実施状態管理エントリ１０２を選択し、エントリ内の接続セル識別子３０１をハンドオーバ実施元セル識別子３０２に記憶する。ハンドオーバ実施状態監視部１０１は、メッセージから得たハンドオーバ実施先の情報を接続セル識別子３０１として記憶する。さらに、ハンドオーバ実施状態監視部１０１は、ハンドオーバ実施後経過時間の計測するため、ハンドオーバ実施後経過タイマ３０４の計測を開始する（図１０ Ｓ４０２）。
【００８６】
無線リンク切断メッセージ、無線リンク接続メッセージの場合の処理、切断原因分析処理（Ｓ６００）を実施することにより、ハンドオーバと無線リンク関連のメッセージを抽出して処理する。これにより、システム間ハンドオーバ実施による無線リンク切断を同一のルールで検出し、その原因分析を行なうことができる。
【００８７】
また、運用オペレータの要求に対応して、移動体管理装置管理エンティティ１００は、ストレージに格納された原因管理エントリ１０５の情報を収集し、図１２に示すように原因管理エントリ１０５内のハンドオーバ実施元セル識別子３０８対応に結果を表示する。また、移動体管理装置管理エンティティ１００は、システム間ハンドオーバによる切断だけを抽出して表示してもよい。
【００８８】
この表示によれば、マルチシステム全体の結果を参照できる。運用オペレータは、ハンドオーバ実施元セルに対するシステム間ハンドオーバに関連したシステムパラメータを最適化するかどうかを判断して、必要があれば実施することができる。
【符号の説明】
【００８９】
１００…移動体端末管理装置監視エンティティ、１０１…ハンドオーバ実施状態監視部、１０２…ハンドオーバ実施状態管理エントリ、１０３…切断原因管理エントリ、２０１…移動体端末管理装置、２０３…オペレータ端末、２０５…ストレージ、２０６…ｅＮＢ、２０７…Ｓ−ＧＷ、２０９…ＲＮＣ、２１０…ＳＧＳＮ、２１１…無線アクセスネットワーク、２１２…パケットコアネットワーク、２１３…運用管理ネットワーク、３０１…接続セル識別子、３０２…ハンドオーバ実施元セル識別子、３０３…切断時セル識別子、３０４…ハンドオーバ実施後経過タイマ、３０５…無線リンク切断経過タイマ、４０５…切断原因分析処理、５０１…ハンドオーバ要因無線リンク切断発生一覧表示ＧＵＩ。
【図１】
2011188188.tif 000003
【図２】
2011188188.tif 000004
【図３】
2011188188.tif 000005
【図４】
2011188188.tif 000006
【図５】
2011188188.tif 000007
【図６】
2011188188.tif 000008
【図７】
2011188188.tif 000009
【図８】
2011188188.tif 000010
【図９】
2011188188.tif 000011
【図１０】
2011188188.tif 000012
【図１１】
2011188188.tif 000013
【図１２】
2011188188.tif 000014
【図１３】
2011188188.tif 000015